(57)【要約】【課題】吹出口での送風性能の低下を抑え、上下風向変更羽根の撓みの少ない空気調和機を提供する。【解決手段】熱交換器（図示せず）で熱交換された空気を吹き出す吹出口６と、吹出口６に配置され吹き出される空気の上下方向の向きを変える上下風向変更羽根３０と、吹出口６に配設された支柱８とを有し、上下風向変更羽根３０を、吹出口６の左右端面より外側に設けた一対の変動可能な第１、２の腕部３１ａ、３１ｂと、それらの間に位置すると共に支柱８に沿って設けられた変動可能な第３の腕部３１ｃとで回動自在に支持するもので、上下風向変更羽根３０は、一対の第１、第２の腕部３１ａ、３１ｂと、それらの間に設けた第３の腕部３１ｃで保持されるため、中央部での撓みが少なく、また第３の腕部３１ｃは、支柱８に沿って配設されているので送風抵抗の増加を最小限に押えることができる。【選択図】図１
2008039252.tif 000002
【特許請求の範囲】
【請求項１】
熱交換器と、前記熱交換器で熱交換された空気を吹き出す吹出口と、前記吹出口に配置され吹き出される空気の上下方向の向きを変える上下風向変更羽根と、前記吹出口に配設された支柱とを有し、前記上下風向変更羽根を、前記吹出口の左右端面より外側に設けた一対の変動可能な腕部と、前記一対の腕部間に位置すると共に前記支柱に沿って設けられた他の変動可能な腕部とで回動自在に支持するようにした空気調和機。
【請求項２】
一対の腕部及び他の腕部のそれぞれは、腕とケーシングを有し、前記腕を前記ケーシングで変動可能に保持したことを特徴とする請求項１に記載の空気調和機。
【請求項３】
一対の腕部及び他の腕部のそれぞれを、吹出口を形成する吹出グリルに支持固定したことを特徴とする請求項１又は２に記載の空気調和機。
【請求項４】
他の腕部を、支柱に支持固定することを特徴とする請求項３に記載の空気調和機。
【発明の詳細な説明】
【技術分野】
【０００１】
本発明は、室内の冷暖房を行う空気調和機に関するものである。
【背景技術】
【０００２】
従来、この種の空気調和機として、その吹き出し口に、変動可能な腕部を介して上下方向の吹き出し風の向きを制御する上下風向変更羽根を設け、冷房運転時には気流感のない、暖房運転時には頭寒足熱の快適な住環境を創出するようにしたものがある（例えば、特許文献１参照）。
【特許文献１】特開２００２−３１４００号公報
【発明の開示】
【発明が解決しようとする課題】
【０００３】
しかしながら、上記特許文献１に記載された従来の空気調和機の構成では、上下風向変更羽根の両端が一対の腕部で回転支持部を介して保持されているため、幅の長い上下風向変更羽根においては、その中央部に撓みが発生して、安定した風向制御が得られないという課題を有していた。一方、上下風向変更羽根の中央部の撓みを低減させるため、一対の腕部の間隔を短くしようとすると、腕部を吹出口の中に配設する必要があり、このため送風抵抗が増大し送風性能が低下するという課題があった。
【０００４】
また、上記特許文献１従来の構成においては、上下風向変更羽根や腕部の空気調和機本体への組付方法については言及していない。
【０００５】
本発明は、前記従来の課題を解決するもので、吹出口での送風性能の低下を最小限に押えつつ、上下風向変更羽根の撓みを改善し、安定した上下方向の風向制御が得られる優れた空気調和機を提供することを目的とする。
【課題を解決するための手段】
【０００６】
前記従来の課題を解決するために、本発明の空気調和機は、熱交換器と、前記熱交換器で熱交換された空気を吹き出す吹出口と、前記吹出口に配置され吹き出される空気の上下方向の向きを変える上下風向変更羽根と、前記吹出口に配設された支柱とを有し、前記上下風向変更羽根を、前記吹出口の左右端面より外側に設けた一対の変動可能な腕部と、前記一対の腕部間に位置すると共に前記支柱に沿って設けられた他の変動可能な腕部とで回動自在に支持するようにしたもので、前記上下風向変更羽根は、前記一対の腕部とその間に設けた他の腕部で保持されるため、中央部の撓みを改善することができる。また、前記一対の腕部の間に設けた他の腕部は、前記吹出口の支柱に沿って配設するため送風抵抗の増加を最小限に押えることができる。
【発明の効果】
【０００７】
本発明の空気調和機は、上下風向変更羽根の撓みを無くすことができるため、安定した上下方向の風向制御が可能となる。
【発明を実施するための最良の形態】
【０００８】
第１の発明は、熱交換器と、前記熱交換器で熱交換された空気を吹き出す吹出口と、前記吹出口に配置され吹き出される空気の上下方向の向きを変える上下風向変更羽根と、前記吹出口に配設された支柱とを有し、前記上下風向変更羽根を、前記吹出口の左右端面より外側に設けた一対の変動可能な腕部と、前記一対の腕部間に位置すると共に前記支柱に沿って設けられた他の変動可能な腕部とで回動自在に支持するようにしたもので、前記上
下風向変更羽根は、前記一対の腕部とその間に設けた他の腕部で保持されるため、中央部の撓みを改善することができる。また、前記一対の腕部の間に設けた他の腕部は、前記吹出口の支柱に沿って配設するため送風抵抗の増加を最小限に押えることができる。
【０００９】
第２の発明は、特に、第１の発明の一対の腕部及び他の腕部のそれぞれは、腕とケーシングを有し、前記腕を前記ケーシングで変動可能に保持したもので、腕部の動作が安定するとともに、空気調和機本体への腕部の取り付けが容易になる。
【００１０】
第３の発明は、特に、第１又は第２の発明の一対の腕部及び他の腕部のそれぞれを、吹出口を形成する吹出グリルに支持固定したもので、吹出口に対して上下風向変更羽根を精度よく組立てすることができる。
【００１１】
第４の発明は、特に、第３の発明の他の腕部を、支柱に支持固定するもので、吹出グリルへの他の腕部の組付性を向上させることができる。
【００１２】
以下、本発明の実施の形態について、図面を参照しながら説明する。なお、この実施の形態によって本発明が限定されるものではない。
【００１３】
（実施の形態１）
以下に、本発明の第１の実施の形態における空気調和機について、図１〜図１０を用いて説明する。図１は、本実施の形態における空気調和機の断面図、図２は、同空気調和機の正面図である。
【００１４】
本実施の形態における空気調和機１０は、その本体１０ａの前面から上面にかけて吸入口５を形成し、その本体１０ａ内部に熱交換器１と、ファン２と、吹出グリル７を有している。熱交換器１は、ファン２の上流側に配置され、吹出グリル７は、ファン２の下流側の送風通路９と熱交換器１で熱交換された空気を吹き出す吹出口６を形成している。また、吹出口６には、風を左右に吹分ける左右風向変更羽根２２と、左右風向変更羽根２２を保持するとともに、吹出口６の強度を確保するため支柱８が備えられている。
【００１５】
空気調和機１０は、前面の吸込口５を開閉するパネル２０と、吹出口６を開閉すると共に吹き出し風の上下方向の向きを変える上下風向変更羽根３０と、吸込口５の下部通路を開閉する中羽根４０とを備えている。
【００１６】
腕部３１は、腕３６とケーシング３７を有し、腕３６はケーシング３７に変動可能なように保持されている。その腕部３１は、空気調和機１０の本体１０ａ内部に保持され、腕３６の先端で、上下風向変更羽根３０の回転支持部３２を回動自在に保持している。
【００１７】
腕部３１は、図２に示すように、第１の腕部３１ａと第２の腕部３１ｂと第３の腕部３１ｃとで構成されている。第１の腕部３１ａは、吹出グリル７に形成された吹出口６の左端面より外側（送風通路９の外側）に設けられ、第２の腕部３１ｂは、吹出口６の右端面より外側（送風通路９の外側）に設けられている。また、第３の腕部３１ｃは、第１の腕部３１ａと第２の腕部３１ｂとの間に位置すると共に、吹出口６に配設された支柱８に沿って設けられ、第１〜第３の腕部３１ａ〜３１ｃのそれぞれは、連結棒３３によって連結されている。
【００１８】
そして、第１の腕部３１ａには、腕部駆動用モータ３４と、羽根駆動用モータ３５が備えられ、腕部駆動用モータ３４の回動は、連結棒３３によって第３の腕部３１ｃと第２の腕部３１ｂに伝達される。一方、羽根駆動用モータ３５の回転動力は、ロープやベルトなどの駆動伝達手段（図示せず）を介して上下風向変更羽根３０の回転支持部３２に伝達さ
れ、上下風向変更羽根３０を回動させるようになっている。
【００１９】
パネル２０は、図１に示すように、その背面側に設けたパネル駆動機構２１により開閉動作させ、中羽根４０は、その左背面側に設けた中羽根用駆動モータ４１で駆動されるようになっている。
【００２０】
パネル駆動機構２１と中羽根用駆動モータ４１の動作は、動作制御部（図示せず）によって制御される。また、この動作制御部によって、腕部駆動用モータ３４及び羽根駆動用モータ３５の駆動も制御される。
【００２１】
次に、図３〜図７を用いて本実施の形態における空気調和機の動作を説明する。図３〜図７は、本実施の形態における空気調和機の送風動作を示す断面図である。
【００２２】
図３は、空気調和機１０の停止状態を示した図であり、パネル２０、上下風向変更羽根３０、及び中羽根４０は全て閉塞した状態にある。
【００２３】
リモコン（図示せず）で空気調和機１０の風向変更モードを上向方向（主に冷房運転時に）に設定して、空気調和機１０の運転を開始すると、図４に示すように、パネル駆動機構２１の動作によってパネル２０は、吸込口５から前方に離間動作する。また同時に、腕部駆動用モータ３４によって腕３６が回動し、上下風向変更羽根３０が吹出口６から前方に離間動作する。また上記パネル２０の動作から少し遅延して、中羽根駆動用モータ４１の動作によって、中羽根４０の上端部４０ａが吸入口５から離間する方向に回動動作する。
【００２４】
そして、図５に示すように、パネル２０は、吸入口５から最も離間する位置まで動作するとともに、中羽根４０の上端部４０ａがパネル２０の下端と当接する位置まで動作する。一方、羽根駆動用モータ３５によって上下風向変更羽根３０が回動し、その下端部３０ａが吹出口６の最下流側端部の下部に当接する。そして、図５に示されるような状態で、熱交換器１で熱交換された空気が上向方向に吹き出される。
【００２５】
吹き出される空気は、上下風向変更羽根３０の羽根形状に沿って、上向方向もしくは水平方向に送風され、居室の奥行き方向の遠くまで導かれるため、居室にいる人に直接冷風があたることを防ぐことができる。
【００２６】
尚、上記上向送風状態から停止状態への動作は、図５に示す上向送風状態から、図４に示す状態を経て、図３に示す停止状態に至るが、個々の動作は、停止状態から上向送風状態への動作と逆の動作であるため説明は省略する。
【００２７】
次に、下向送風状態に至る動作について説明する。
【００２８】
リモコンで空気調和機１０の風向変更モードを下向方向（主に暖房運転時）に設定して運転を開始すると、図３に示す停止状態から、図６に示す状態へと動作するが、個々の動作は、上記上向送風と同様であるため説明は省略する。
【００２９】
図６に示す状態を経た後、図７に示すように、パネル駆動機構２１の動作によってパネル２０は、吸入口５から最も離間する位置まで動作する。一方、羽根駆動用モータ３５によって上下風向変更羽根３０が回動し、その上端部３０ｂが吹出口６の下流側端部の上部に当接する。そして、図７に示す状態で、下向方向への送風が行われる。
【００３０】
熱交換器１で熱交換されて吹き出される空気は、上下風向変更羽根３０の羽根形状に沿
って、居室の床面へ直下に導かれるため、居室にいる人に直接温風があたることを防ぐことができる。
【００３１】
尚、中羽根４０は動作させても、動作させなくてもどちらでもかまわない。
【００３２】
下向送風状態から停止状態への動作は、図７に示す下向送風状態から、図６に示す状態を経て、図３に示す停止状態に至るが、個々の動作は、停止状態から下向送風状態への動作と逆の動作であるため説明は省略する。
【００３３】
次に、斜め送風状態に至る動作について説明する。
【００３４】
リモコンで空気調和機１０の風向変更モードを斜め方向（冷房運転、暖房運転など）に設定して運転を開始すると、図３に示す停止状態から、図６に示す状態へと動作するが、個々の動作は上記上向送風と同様であるため説明は省略する。
【００３５】
次に、図６に示す状態を経た後、図８に示すように、パネル駆動機構２１の動作によってパネル２０は、吸入口５から最も離間する位置まで動作する。一方、羽根駆動用モータ３５によって上下風向変更羽根３０が回動し、斜め方向への送風状態となる。ここで、羽根駆動用モータ３５によって、上下風向変更羽根３０を所定角度でスイング動作させてもかまわない。また、中羽根４０は動作させても、動作させなくてもどちらでもかまわない。
【００３６】
熱交換器１で熱交換されて吹き出される空気は、上下風向変更羽根３０の羽根形状に沿って、居室の中央部へと導かれるため、居住にいる人に直接冷風もしくは温風をあてることができる。この送風状態は、主に冷房や暖房の運転開始時に用いられる。
【００３７】
斜め送風状態から停止状態への動作は、図８に示す斜め送風状態から、図６に示す状態を経て、図３に示す停止状態に至るが、個々の動作は、停止状態から斜め送風状態への動作と逆の動作であるため説明は省略する。
【００３８】
また、動作の説明は省略するが、各送風状態間での移行動作も可能である。
【００３９】
以上のように、本実施の形態においては、上下風向変更羽根３０を、一対の第１の腕部３１ａと第２の腕部３１ｂ、及びそれらの間に位置する第３の腕部３１ｃとで保持しているため、各送風状態において風圧を受けても上下風向変更羽根３０が撓むことがなく、安定した風向制御を得ることができる。また、第１の腕部３１ａと第２の腕部３１ｂを送風通路９の外側に設け、さらに、第３の腕部３１ｃを吹出口６に備えた支柱８に沿って設けたことにより、送風抵抗の増加を最小限に押えることができる。
【００４０】
また、腕部３１を本体１０ａへ保持する構成として、図９に示すように、第１の腕部３１ａと第２の腕部３１ｂと第３の腕部３１ｃともに、吹出グリル７に固定することにより、吹出口６に対して上下風向変更羽根３０を精度よく組立てすることができる。
【００４１】
また、第３の腕部３１ｃを吹出グリル７へ固定する構造として、図１０に示すように、吹出グリル７に配設された支柱８へ直接取付けることにより、第３の腕部３１ｃの吹出グリル７への組付性が向上できる。
【産業上の利用可能性】
【００４２】
以上のように、本発明の空気調和機は、吹き出し口での送風性能の低下を抑制し、上下風向変更羽根の撓みが少ないもので、空気調和機に限らず除湿装置や空気清浄装置にも適
用できる。
【図面の簡単な説明】
【００４３】
【図１】本発明の実施の形態１における空気調和機の断面図
【図２】同空気調和機の正面図
【図３】同空気調和機の停止状態を示す断面図
【図４】同空気調和機の送風動作を示す断面図
【図５】同空気調和機の上向送風状態を示す断面図
【図６】同空気調和機の送風動作を示す断面図
【図７】同空気調和機の下向送風状態を示す断面図
【図８】同空気調和機の斜め送風状態を示す断面図
【図９】同空気調和機の腕部の保持構成を示す斜視図
【図１０】同空気調和機の腕部の保持構成を示す要部斜視図
【符号の説明】
【００４４】
１  熱交換器
２  ファン
５  吸入口
６  吹出口
７  吹出グリル
８  支柱
９  送風通路
２０  パネル
２１  パネル駆動機構
２２  左右風向変更羽根
３０  上下風向変更羽根
３１  腕部
３１ａ  第１の腕部（腕部）
３１ｂ  第２の腕部（腕部）
３１ｃ  第３の腕部（腕部）
３２  回転支持部
３３  連結棒
３４  腕部駆動用モータ
３５  羽根駆動用モータ
４０  中羽根
４１  中羽根駆動用モータ
【図１】
2008039252.tif 000003
【図２】
2008039252.tif 000004
【図３】
2008039252.tif 000005
【図４】
2008039252.tif 000006
【図５】
2008039252.tif 000007
【図６】
2008039252.tif 000008
【図７】
2008039252.tif 000009
【図８】
2008039252.tif 000010
【図９】
2008039252.tif 000011
【図１０】
2008039252.tif 000012
【手続補正書】
【提出日】平成18年11月9日(2006.11.9)
【手続補正１】
【補正対象書類名】特許請求の範囲
【補正対象項目名】全文
【補正方法】変更
【補正の内容】
【特許請求の範囲】
【請求項１】
熱交換器と、前記熱交換器で熱交換された空気を吹き出す吹出口と、前記吹出口に配置され吹き出される空気の上下方向の向きを変える上下風向変更羽根と、前記吹出口に配設された支柱と、前記吹出口の左右端面より外側に設けた第１の腕部と第２の腕部とからなる一対の変動可能な腕部と、前記一対の腕部間に位置するとともに前記支柱に沿って設けられた他の変動可能な腕部と、前記第１の腕部を変動させる駆動源と、前記駆動源の駆動力を前記第２の腕部と前記他の腕部に伝達する伝達手段とを備え、前記上下風向変更羽根を前記一対の腕部と前記他の腕部とで回動自在に保持し、前記駆動源を駆動させることで前記一対の腕部および前記他の腕部を回動させることを特徴とする空気調和機。
【請求項２】
一対の腕部及び他の腕部のそれぞれは、腕とケーシングとを有し、前記腕を前記ケーシングで変動可能に保持したことを特徴とする請求項１に記載の空気調和機。
【請求項３】
一対の腕部及び他の腕部のそれぞれを、吹出口を形成する吹出グリルに支持固定したことを特徴とする請求項１又は２に記載の空気調和機。
【請求項４】
他の腕部を、支柱に支持固定することを特徴とする請求項３に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、室内の冷暖房を行う空気調和機に関するものである。
【背景技術】
【０００２】
従来、この種の空気調和機として、その吹き出し口に、変動可能な腕部を介して上下方
向の吹き出し風の向きを制御する上下風向変更羽根を設け、冷房運転時には気流感のない、暖房運転時には頭寒足熱の快適な住環境を創出するようにしたものがある（例えば、特許文献１参照）。
【特許文献１】特開２００２−３１４００号公報
【発明の開示】
【発明が解決しようとする課題】
【０００３】
しかしながら、上記特許文献１に記載された従来の空気調和機の構成では、上下風向変更羽根の両端が一対の腕部で回転支持部を介して保持されているため、幅の長い上下風向変更羽根においては、その中央部に撓みが発生して、安定した風向制御が得られないという課題を有していた。一方、上下風向変更羽根の中央部の撓みを低減させるため、一対の腕部の間隔を短くしようとすると、腕部を吹出口の中に配設する必要があり、このため送風抵抗が増大し送風性能が低下するという課題があった。
【０００４】
また、上記特許文献１従来の構成においては、上下風向変更羽根や腕部の空気調和機本体への組付方法については言及していない。
【０００５】
本発明は、前記従来の課題を解決するもので、吹出口での送風性能の低下を最小限に押えつつ、上下風向変更羽根の撓みを改善し、安定した上下方向の風向制御が得られる優れた空気調和機を提供することを目的とする。
【課題を解決するための手段】
【０００６】
前記従来の課題を解決するために、本発明の空気調和機は、熱交換器と、前記熱交換器で熱交換された空気を吹き出す吹出口と、前記吹出口に配置され吹き出される空気の上下方向の向きを変える上下風向変更羽根と、前記吹出口に配設された支柱と、前記吹出口の左右端面より外側に設けた第１の腕部と第２の腕部とからなる一対の変動可能な腕部と、前記一対の腕部間に位置するとともに前記支柱に沿って設けられた他の変動可能な腕部と、前記第１の腕部を変動させる駆動源と、前記駆動源の駆動力を前記第２の腕部と前記他の腕部に伝達する伝達手段とを備え、前記上下風向変更羽根を前記一対の腕部と前記他の腕部とで回動自在に保持し、前記駆動源を駆動させることで前記一対の腕部および前記他の腕部を回動させることにより、前記上下風向変更羽根は、前記一対の腕部とその間に設けた他の腕部で保持されるため、中央部の撓みを改善することができる。また、前記一対の腕部の間に設けた他の腕部は、前記吹出口の支柱に沿って配設するため送風抵抗の増加を最小限に押えることができる。また、連結手段によって第１の腕部を駆動する力を、第２の腕部、第３の腕部にも伝達することができる。
【発明の効果】
【０００７】
本発明の空気調和機は、上下風向変更羽根の撓みを無くすことができるため、安定した上下方向の風向制御が可能となる。
【発明を実施するための最良の形態】
【０００８】
第１の発明は、熱交換器と、前記熱交換器で熱交換された空気を吹き出す吹出口と、前記吹出口に配置され吹き出される空気の上下方向の向きを変える上下風向変更羽根と、前記吹出口に配設された支柱と、前記吹出口の左右端面より外側に設けた第１の腕部と第２の腕部とからなる一対の変動可能な腕部と、前記一対の腕部間に位置するとともに前記支柱に沿って設けられた他の変動可能な腕部と、前記第１の腕部を変動させる駆動源と、前記駆動源の駆動力を前記第２の腕部と前記他の腕部に伝達する伝達手段とを備え、前記上下風向変更羽根を前記一対の腕部と前記他の腕部とで回動自在に保持し、前記駆動源を駆動させることで前記一対の腕部および前記他の腕部を回動させることにより、前記上下風向変更羽根は、前記一対の腕部とその間に設けた他の腕部で保持されるため、中央部の撓
みを改善することができる。また、前記一対の腕部の間に設けた他の腕部は、前記吹出口の支柱に沿って配設するため送風抵抗の増加を最小限に押えることができる。また、連結手段によって第１の腕部を駆動する力を、第２の腕部、第３の腕部にも伝達することができる。
【０００９】
第２の発明は、特に、第１の発明の一対の腕部及び他の腕部のそれぞれは、腕とケーシングとを有し、前記腕を前記ケーシングで変動可能に保持したもので、腕部の動作が安定するとともに、空気調和機本体への腕部の取り付けが容易になる。
【００１０】
第３の発明は、特に、第１又は第２の発明の一対の腕部及び他の腕部のそれぞれを、吹出口を形成する吹出グリルに支持固定したもので、吹出口に対して上下風向変更羽根を精度よく組立てすることができる。
【００１１】
第４の発明は、特に、第３の発明の他の腕部を、支柱に支持固定するもので、吹出グリルへの他の腕部の組付性を向上させることができる。
【００１２】
以下、本発明の実施の形態について、図面を参照しながら説明する。なお、この実施の形態によって本発明が限定されるものではない。
【００１３】
（実施の形態１）
以下に、本発明の第１の実施の形態における空気調和機について、図１〜図１０を用いて説明する。図１は、本実施の形態における空気調和機の断面図、図２は、同空気調和機の正面図である。
【００１４】
本実施の形態における空気調和機１０は、その本体１０ａの前面から上面にかけて吸入口５を形成し、その本体１０ａ内部に熱交換器１と、ファン２と、吹出グリル７を有している。熱交換器１は、ファン２の上流側に配置され、吹出グリル７は、ファン２の下流側の送風通路９と熱交換器１で熱交換された空気を吹き出す吹出口６を形成している。また、吹出口６には、風を左右に吹分ける左右風向変更羽根２２と、左右風向変更羽根２２を保持するとともに、吹出口６の強度を確保するため支柱８が備えられている。
【００１５】
空気調和機１０は、前面の吸込口５を開閉するパネル２０と、吹出口６を開閉すると共に吹き出し風の上下方向の向きを変える上下風向変更羽根３０と、吸込口５の下部通路を開閉する中羽根４０とを備えている。
【００１６】
腕部３１は、腕３６とケーシング３７を有し、腕３６はケーシング３７に変動可能なように保持されている。その腕部３１は、空気調和機１０の本体１０ａ内部に保持され、腕３６の先端で、上下風向変更羽根３０の回転支持部３２を回動自在に保持している。
【００１７】
腕部３１は、図２に示すように、第１の腕部３１ａと第２の腕部３１ｂと第３の腕部３１ｃとで構成されている。第１の腕部３１ａは、吹出グリル７に形成された吹出口６の左端面より外側（送風通路９の外側）に設けられ、第２の腕部３１ｂは、吹出口６の右端面より外側（送風通路９の外側）に設けられている。また、第３の腕部３１ｃは、第１の腕部３１ａと第２の腕部３１ｂとの間に位置すると共に、吹出口６に配設された支柱８に沿って設けられ、第１〜第３の腕部３１ａ〜３１ｃのそれぞれは、連結棒３３によって連結されている。
【００１８】
そして、第１の腕部３１ａには、腕部駆動用モータ３４と、羽根駆動用モータ３５が備えられ、腕部駆動用モータ３４の回動は、連結棒３３によって第３の腕部３１ｃと第２の腕部３１ｂに伝達される。一方、羽根駆動用モータ３５の回転動力は、ロープやベルトな
どの駆動伝達手段（図示せず）を介して上下風向変更羽根３０の回転支持部３２に伝達され、上下風向変更羽根３０を回動させるようになっている。
【００１９】
パネル２０は、図１に示すように、その背面側に設けたパネル駆動機構２１により開閉動作させ、中羽根４０は、その左背面側に設けた中羽根用駆動モータ４１で駆動されるようになっている。
【００２０】
パネル駆動機構２１と中羽根用駆動モータ４１の動作は、動作制御部（図示せず）によって制御される。また、この動作制御部によって、腕部駆動用モータ３４及び羽根駆動用モータ３５の駆動も制御される。
【００２１】
次に、図３〜図７を用いて本実施の形態における空気調和機の動作を説明する。図３〜図７は、本実施の形態における空気調和機の送風動作を示す断面図である。
【００２２】
図３は、空気調和機１０の停止状態を示した図であり、パネル２０、上下風向変更羽根３０、及び中羽根４０は全て閉塞した状態にある。
【００２３】
リモコン（図示せず）で空気調和機１０の風向変更モードを上向方向（主に冷房運転時に）に設定して、空気調和機１０の運転を開始すると、図４に示すように、パネル駆動機構２１の動作によってパネル２０は、吸込口５から前方に離間動作する。また同時に、腕部駆動用モータ３４によって腕３６が回動し、上下風向変更羽根３０が吹出口６から前方に離間動作する。また上記パネル２０の動作から少し遅延して、中羽根駆動用モータ４１の動作によって、中羽根４０の上端部４０ａが吸入口５から離間する方向に回動動作する。
【００２４】
そして、図５に示すように、パネル２０は、吸入口５から最も離間する位置まで動作するとともに、中羽根４０の上端部４０ａがパネル２０の下端と当接する位置まで動作する。一方、羽根駆動用モータ３５によって上下風向変更羽根３０が回動し、その下端部３０ａが吹出口６の最下流側端部の下部に当接する。そして、図５に示されるような状態で、熱交換器１で熱交換された空気が上向方向に吹き出される。
【００２５】
吹き出される空気は、上下風向変更羽根３０の羽根形状に沿って、上向方向もしくは水平方向に送風され、居室の奥行き方向の遠くまで導かれるため、居室にいる人に直接冷風があたることを防ぐことができる。
【００２６】
尚、上記上向送風状態から停止状態への動作は、図５に示す上向送風状態から、図４に示す状態を経て、図３に示す停止状態に至るが、個々の動作は、停止状態から上向送風状態への動作と逆の動作であるため説明は省略する。
【００２７】
次に、下向送風状態に至る動作について説明する。
【００２８】
リモコンで空気調和機１０の風向変更モードを下向方向（主に暖房運転時）に設定して運転を開始すると、図３に示す停止状態から、図６に示す状態へと動作するが、個々の動作は、上記上向送風と同様であるため説明は省略する。
【００２９】
図６に示す状態を経た後、図７に示すように、パネル駆動機構２１の動作によってパネル２０は、吸入口５から最も離間する位置まで動作する。一方、羽根駆動用モータ３５によって上下風向変更羽根３０が回動し、その上端部３０ｂが吹出口６の下流側端部の上部に当接する。そして、図７に示す状態で、下向方向への送風が行われる。
【００３０】
熱交換器１で熱交換されて吹き出される空気は、上下風向変更羽根３０の羽根形状に沿って、居室の床面へ直下に導かれるため、居室にいる人に直接温風があたることを防ぐことができる。
【００３１】
尚、中羽根４０は動作させても、動作させなくてもどちらでもかまわない。
【００３２】
下向送風状態から停止状態への動作は、図７に示す下向送風状態から、図６に示す状態を経て、図３に示す停止状態に至るが、個々の動作は、停止状態から下向送風状態への動作と逆の動作であるため説明は省略する。
【００３３】
次に、斜め送風状態に至る動作について説明する。
【００３４】
リモコンで空気調和機１０の風向変更モードを斜め方向（冷房運転、暖房運転など）に設定して運転を開始すると、図３に示す停止状態から、図６に示す状態へと動作するが、個々の動作は上記上向送風と同様であるため説明は省略する。
【００３５】
次に、図６に示す状態を経た後、図８に示すように、パネル駆動機構２１の動作によってパネル２０は、吸入口５から最も離間する位置まで動作する。一方、羽根駆動用モータ３５によって上下風向変更羽根３０が回動し、斜め方向への送風状態となる。ここで、羽根駆動用モータ３５によって、上下風向変更羽根３０を所定角度でスイング動作させてもかまわない。また、中羽根４０は動作させても、動作させなくてもどちらでもかまわない。
【００３６】
熱交換器１で熱交換されて吹き出される空気は、上下風向変更羽根３０の羽根形状に沿って、居室の中央部へと導かれるため、居住にいる人に直接冷風もしくは温風をあてることができる。この送風状態は、主に冷房や暖房の運転開始時に用いられる。
【００３７】
斜め送風状態から停止状態への動作は、図８に示す斜め送風状態から、図６に示す状態を経て、図３に示す停止状態に至るが、個々の動作は、停止状態から斜め送風状態への動作と逆の動作であるため説明は省略する。
【００３８】
また、動作の説明は省略するが、各送風状態間での移行動作も可能である。
【００３９】
以上のように、本実施の形態においては、上下風向変更羽根３０を、一対の第１の腕部３１ａと第２の腕部３１ｂ、及びそれらの間に位置する第３の腕部３１ｃとで保持しているため、各送風状態において風圧を受けても上下風向変更羽根３０が撓むことがなく、安定した風向制御を得ることができる。また、第１の腕部３１ａと第２の腕部３１ｂを送風通路９の外側に設け、さらに、第３の腕部３１ｃを吹出口６に備えた支柱８に沿って設けたことにより、送風抵抗の増加を最小限に押えることができる。
【００４０】
また、腕部３１を本体１０ａへ保持する構成として、図９に示すように、第１の腕部３１ａと第２の腕部３１ｂと第３の腕部３１ｃともに、吹出グリル７に固定することにより、吹出口６に対して上下風向変更羽根３０を精度よく組立てすることができる。
【００４１】
また、第３の腕部３１ｃを吹出グリル７へ固定する構造として、図１０に示すように、吹出グリル７に配設された支柱８へ直接取付けることにより、第３の腕部３１ｃの吹出グリル７への組付性が向上できる。
【産業上の利用可能性】
【００４２】
以上のように、本発明の空気調和機は、吹き出し口での送風性能の低下を抑制し、上下
風向変更羽根の撓みが少ないもので、空気調和機に限らず除湿装置や空気清浄装置にも適用できる。
【図面の簡単な説明】
【００４３】
【図１】本発明の実施の形態１における空気調和機の断面図
【図２】同空気調和機の正面図
【図３】同空気調和機の停止状態を示す断面図
【図４】同空気調和機の送風動作を示す断面図
【図５】同空気調和機の上向送風状態を示す断面図
【図６】同空気調和機の送風動作を示す断面図
【図７】同空気調和機の下向送風状態を示す断面図
【図８】同空気調和機の斜め送風状態を示す断面図
【図９】同空気調和機の腕部の保持構成を示す斜視図
【図１０】同空気調和機の腕部の保持構成を示す要部斜視図
【符号の説明】
【００４４】
１  熱交換器
２  ファン
５  吸入口
６  吹出口
７  吹出グリル
８  支柱
９  送風通路
２０  パネル
２１  パネル駆動機構
２２  左右風向変更羽根
３０  上下風向変更羽根
３１  腕部
３１ａ  第１の腕部（腕部）
３１ｂ  第２の腕部（腕部）
３１ｃ  第３の腕部（腕部）
３２  回転支持部
３３  連結棒
３４  腕部駆動用モータ
３５  羽根駆動用モータ
４０  中羽根
４１  中羽根駆動用モータ